(57)【特許請求の範囲】
【請求項１】
昇降路壁で形成される昇降路と、この昇降路内を昇降する乗かごおよびつり合いおもりと、これら乗かごおよびつり合いおもりを吊り上げるロープと、前記昇降路の上部に設けられる巻上機とを有し、この巻上機により前記ロープを介して前記乗かごおよびつり合いおもりを駆動するようにしたエレベータにおいて、
前記巻上機の設置空間を形成する壁を、前記昇降路壁の延長上または延長上の内側に設けると共に、前記ロープは、一端が昇降路の上部に固定されるロープエンドに取付けられ、前記乗かごの下部のプーリに巻回されてから、機械室に設けられる巻上機のシーブに巻掛けられた後、この巻上機のシーブの下方に位置すると共にこの巻上機のシーブとほぼ向き合うように配置されたつり合いおもりの上部シーブに、前記巻上機のシーブに巻き掛けられたと同じ向きになるように巻回され、昇降路の上部に固定される他のロープエンドに他端が取り付けられていることを特徴とするエレベータ。
【発明の詳細な説明】
【０００１】
【発明の属する技術分野】
本発明は、建物の階床間で人や荷物を運ぶエレベータに関する。
【０００２】
【従来の技術】
一般にロープ式エレベータにおいては、建物内に、乗かごおよびつり合いおもりが昇降する昇降路が形成されるとともに、建物の上部に、巻上機や制御盤を収納する機械室が設けられている。このようなエレベータでは、乗かご上部のクロスヘッドの中心をロープで吊ることにより、乗かごを昇降させるようになっており、前記の巻上機のシーブが昇降路の水平投影面に対してほぼ中心に位置するため、機械室内の機器の保守スペースを考慮して機械室の水平投影面が昇降路のそれより大きくなっている。
【０００３】
【発明が解決しようとする課題】
ところで、前述した従来のエレベータでは、昇降路に設けられる出入口の方向に対して機械室の昇降路水平投影面からの突出方向を自由に決めることができないので、エレベータを設置する建物のレイアウトに制限があるという問題があった。
【０００４】
本発明はこのような従来技術における実情に鑑みてなされたもので、その目的は、エレベータを設置する建物のレイアウトを自由に決めることのできるエレベータを提供することにある。
【０００５】
【課題を解決するための手段】
上記目的を達成するために、本発明は、昇降路壁で形成される昇降路と、この昇降路内を昇降する乗かごおよびつり合いおもりと、これら乗かごおよびつり合いおもりを吊り上げるロープと、前記昇降路の上部に設けられる巻上機とを有し、この巻上機により前記ロープを介して前記乗かごおよびつり合いおもりを駆動するようにしたエレベータにおいて、前記巻上機の設置空間を形成する壁を、前記昇降路壁の延長上または延長上の内側に設けると共に、前記ロープは、一端が昇降路の上部に固定されるロープエンドに取付けられ、前記乗かごの下部のプーリに巻回されてから、機械室に設けられる巻上機のシーブに巻掛けられた後、この巻上機のシーブの下方に位置すると共にこの巻上機のシーブとほぼ向き合うように配置されたつり合いおもりの上部シーブに、前記巻上機のシーブに巻き掛けられたと同じ向きになるように巻回され、昇降路の上部に固定される他のロープエンドに他端が取り付けられている構成にしてある。
【０００６】
このように構成した本発明では、昇降路を形成する昇降路壁の延長上または延長上の内側に壁を設けて、この壁で形成される設置空間内に巻上機を設置したので、機械室の水平投影面は昇降路の水平投影面より突出する部分がなくて済む。これにより、エレベータを設置する建物のレイアウトを自由に決めることができる。
【０００７】
また、前記ロープは、前記乗かごに設けられるプーリを介していることにより、前記ロープが乗かごの中心より昇降路壁に寄った位置となり、巻上機のシーブを昇降路の水平投影面の中心から昇降路壁寄りに配置できることから、巻上機の設置空間内において機器の保守スペースを確保できる。これにより、上記のように巻上機の設置空間を形成する壁を昇降路壁の延長上または延長上の内側に設けても、保守上何ら問題がない。
【０００８】
【発明の実施の形態】
以下、本発明の実施の形態を図に基づいて説明する。
図１は本発明の一実施形態に係るエレベータの側面図、図２は図１のエレベータに設けられる機械室の平面図である。
【０００９】
図１に示すエレベータは、昇降路壁１で形成される昇降路２と、この昇降路２内を昇降する乗かご３およびつり合いおもり４と、これらの乗かご３およびつり合いおもり４を吊り上げるロープ５と、昇降路１内に立設され、乗かご３およびつり合いおもり４のそれぞれを案内するガイドレール６、７と、昇降路２の上部の機械室８に設けられる巻上機１０および制御盤１１とを備えている。
【００１０】
昇降路壁１にはブラケット１２、１３を介してガイドレール６、７が固定され、これらのガイドレール６、７は昇降路２の底部から頂部付近まで延設されている。ロープ５は、一端５ａが昇降路２の上部に固定されるロープエンド１４に取付けられ、乗かご３の下部のプーリ１５に巻回されてから、機械室８に設けられる巻上機１０のシーブ１６に巻掛けられた後、つり合いおもり４の上部のシーブ１７に巻回され、昇降路２の上部に固定される他のロープエンド１８に、ロープ５の他端５ｂが取付けられている。これにより、巻上機１０の駆動でロープ５を介して乗かご３およびつり合いおもり４を昇降させるようになっている。
【００１１】
昇降路２の頂部には、巻上機１０を搬出入する開口部１９が設けられ、この開口部１９には、開口部１９の一部またはロープ５の通過部分を除いた全ての部分を塞ぐカバー２０が取付けられている。開口部１９の両側に位置する梁２１上に受け台２２が設置され、この受け台２２上に巻上機１０用の支持部材２３が載置されている。
【００１２】
そして、本実施形態のエレベータでは、巻上機１０の設置空間、すなわち機械室８を形成する壁９が昇降路壁１の延長上に設けられており、巻上機１０として例えばギヤレスタイプのものが用いられている。また、上記のように、ロープ５が乗かご５のプーリ１５を介して装着されるとともに、制御盤１１が巻上機１０を支持する支持部材２３上に設置されている。
【００１３】
この実施形態にあっては、昇降路２を形成する昇降路壁１の延長上に機械室８の壁９を設けたので、この機械室８の水平投影面は昇降路２の水平投影面より突出する部分がなくて済む。
【００１４】
また、ロープ５は乗かご３下部に設けられるプーリ１５を介しているので、ロープ５が乗かご３の中心より昇降路壁１に寄った位置となり、巻上機１０のシーブ１６を昇降路２の水平投影面の中心から昇降路壁１寄りに配置できる。さらに、乗かご３に対して前記のプーリ１５を介して２：１ローピングとしていることから巻上機１０のモータ１０ａを小型化できる。これにより、巻上機１０のモータ１０ａと機械室８の壁９との間隔を比較的広くとれることから、機械室８内の巻上機１０や制御盤１１などの機器の保守スペースを確保でき、すなわち、上記のように機械室８を形成する壁９を昇降路壁１の延長上に設けても、保守上何ら問題がない。さらに、巻上機１０をギヤレスタイプとすることにより、巻上機１０は平面的なスペースの縮小を図れるので、機械室８内の機器の保守スペースをより広く確保できる。
【００１５】
このように構成した実施形態では、機械室８の水平投影面が昇降路２の水平投影面より突出する部分がなくて済み、しかも前記の機械室８内の保守スペースを考慮して機械室８内に機器を配置できることから、エレベータを設置する建物のレイアウトを自由に決めることができる。
【００１６】
なお、この実施形態では、機械室８を形成する壁９を昇降路壁１の延長上に設けたが、本発明はこれに限らず、機械室８を形成する壁９が昇降路２の水平投影面より突出しなければ同様の効果が得られることは明白であり、例えば、機械室８を形成する壁９を昇降路壁１の延長上より内側に配置したり、昇降路壁１の延長上およびその内側の間で傾斜させて配置してもよい。
【００１７】
なお、本実施形態では乗かご３の下部にプーリ１５を設けた構成としたが、本発明はこれに限らず、乗かご３の上部にプーリ１５を設けた場合も同様の効果が得られる。
【００１８】
さらに、この実施形態では巻上機１０をギヤレスタイプとしたが、本発明はこれに限らず、巻上機に減速機を付けた場合も同様の効果が得られる。
【００１９】
さらに、この実施形態ではロープエンド１４、１８をそれぞれガイドレール６、７に固定する構成としたが、本発明はこれに限らず、ロープエンド１４、１８をそれぞれ昇降路壁１、または図示しない機械室床梁、または機械室８内の機器、例えば支持部材２３に固定した場合も同様の効果が得られる。
【００２０】
さらに、この実施形態では制御盤１１を機械室８内に設けたが、本発明はこれに限らず、制御盤１１の全部または一部を昇降路２内の適宜位置に設けることもできる。
【００２１】
さらに、この実施形態では梁２１を昇降路壁１の出入口２４側と、この出入口２４の反対側とに設けた構成としたが、本発明はこれに限らず、昇降路壁１の出入口２４に向かって両側に梁を設けた場合、あるいは昇降路壁１の四方に梁を設けた場合においても同様の効果が得られる。
【００２２】
【発明の効果】
以上説明したように、本発明では、巻上機の設置空間を形成する壁を昇降路壁の延長上または延長上の内側に設けたので、機械室の水平投影面が昇降路の水平投影面より突出する部分がなくて済み、したがって、エレベータを設置する建物のレイアウトを自由に決めることができる。
【００２３】
また、乗かごを駆動するロープが乗かごに設けられるプーリを介していることにより、前記のロープが乗かごの中心より昇降路壁に寄った位置となり、巻上機のシーブを昇降路の水平投影面の中心から昇降路壁寄りに配置できることから、巻上機の設置空間内にて機器の保守スペースを確保できる。これにより、上記のように巻上機の設置空間を形成する壁を昇降路壁の延長上または延長上の内側に設けても、保守上何ら問題がない。
【図面の簡単な説明】
【図１】本発明の一実施形態に係るエレベータの側面図である。
【図２】図１のエレベータに設けられる機械室の平面図である。
【符号の説明】
１  昇降路壁
２  昇降路
３  乗かご
４  つり合いおもり
５  ロープ
８  機械室（設置空間）
９  壁
１０  巻上機
１１  制御盤
２３  支持部材
【図１】
0004091218.tif 000002
【図２】
0004091218.tif 000003